(57)【特許請求の範囲】
【請求項１】
発呼局と着呼局との間でファクシミリの所定の伝送制御手順を実行して、発呼局の原稿画像データを着呼局より転送するファクシミリシステムであって、発呼局が、着呼局から送られる標準機能を示す制御信号を解析して着呼局のＯＣＲ機能の有無を判定する判定手段と、この判定手段により着呼局がＯＣＲ機能を有すると判定した場合、着呼局に対する設定命令にＯＣＲ機能の使用指示、ＯＣＲ機能による読取座標の指定、中継形態の指示、前記原稿画像データの転送領域の指定に対応するパラメータを設定する命令設定手段とを有し、着呼局が、前記命令設定手段により設定された前記パラメータを解析して前記読取座標で指定された領域の前記原稿画像データを読み取って転送先を認識する認識手段と、この認識手段により認識された転送先へ前記中継形態で指示された転送形態により前記転送領域で指定された領域の前記原稿画像データを転送する転送処理手段とを有したこと、を特徴とするファクシミリシステム。
【請求項２】
前記転送処理手段は、前記中継形態で指示された転送形態を確認し、ファクシミリ転送と電子メール転送との一方または両方で、前記原稿画像データの転送を行なうことを特徴とする請求項１記載のファクシミリシステム。
【請求項３】
発呼局と着呼局との間でファクシミリの所定の伝送制御手順を実行して、発呼局の原稿画像データを着呼局より転送する画像転送制御方法であって、発呼局が、着呼局から送られる標準機能を示す制御信号を解析して着呼局のＯＣＲ機能の有無を判定する判定工程と、この判定工程により着呼局がＯＣＲ機能を有すると判定した場合、着呼局に対する設定命令にＯＣＲ機能の使用指示、ＯＣＲ機能による読取座標の指定、中継形態の指示、前記原稿画像データの転送領域の指定に対応するパラメータを設定する命令設定工程とを有し、着呼局が、前記命令設定工程により設定された前記パラメータを解析して前記読取座標で指定された領域の前記原稿画像データを読み取って転送先を認識する認識工程と、この認識工程により認識された転送先へ前記中継形態で指示された転送形態により前記転送領域で指定された領域の前記原稿画像データを転送する転送処理工程とを有したこと、を特徴とする画像転送制御方法。
【請求項４】
前記転送処理工程で、前記中継形態で指示された転送形態を確認し、ファクシミリ転送と電子メール転送との一方または両方で、前記原稿画像データの転送を行なうことを特徴とする請求項３記載の画像転送制御方法。
【発明の詳細な説明】
【０００１】
【発明の属する技術分野】
本発明は、文字認識機能を備えたファクシミリシステムおよび画像転送制御方法に関する。
【０００２】
【従来の技術】
近年、業務の効率化を図ろうとする傾向が高まっており、各種ファクシミリ装置のうち、内部にＯＣＲ機能を備えたファクシミリ装置が提案されている。そして、このＯＣＲ機能を利用することにより通常のファクシミリ装置に新たな機能を付加している。
【０００３】
このようなＯＣＲ機能を備えたファクシミリ装置として、受信したファクシミリデータを送信元で指定されたサブアドレスに対して転送を行う例について説明する。図７は、このようなファクシミリ装置に使用する専用原稿のフォームの一例を示している。専用原稿７０１の所定領域には、開始マーク７０２と終了マーク７０３という制御マークが設けられている。受信側のファクシミリ装置のＯＣＲ読取機能を使って制御マークを読み取ることにより、転送するべきサブアドレスを認識できる。この結果、指定されたサブアドレスに原稿を転送することができる。
【０００４】
【発明が解決しようとする課題】
しかしながら、従来のＯＣＲ機能を備えたファクシミリ装置において、サブアドレスを認識するためには、制御マークを読み取った後、制御マーク間に表示されたサブアドレスを認識しなければならない。すなわち、サブアドレスを認識する前に制御マークを認識する必要がある。また、サブアドレスの表示位置および指定個数は、発信側のファクシミリ装置によって異なる。このため、受信側のファクシミリ装置では、表示位置等の異なるサブアドレスに対応する制御マークを認識する必要がある。この結果、ＯＣＲ読取装置の読取動作の効率化が図れないという問題がある。
【０００５】
本発明は、かかる点に鑑みてなされたものであり、原稿の所定領域に表示された文字情報をＯＣＲ機能で効率的に読み取ることのできるファクシミリシステムおよび画像転送制御方法を提供することを目的とする。
【０００６】
【課題を解決するための手段】
本発明は、発呼局と着呼局との間でファクシミリの所定の伝送制御手順を実行して、発呼局の原稿画像データを着呼局より転送するファクシミリシステムであって、発呼局が、着呼局から送られる標準機能を示す制御信号を解析して着呼局のＯＣＲ機能の有無を判定する判定手段と、この判定手段により着呼局がＯＣＲ機能を有すると判定した場合、着呼局に対する設定命令にＯＣＲ機能の使用指示、ＯＣＲ機能による読取座標の指定、中継形態の指示、前記原稿画像データの転送領域の指定に対応するパラメータを設定する命令設定手段とを有し、着呼局が、前記命令設定手段により設定された前記パラメータを解析して前記読取座標で指定された領域の前記原稿画像データを読み取って転送先を認識する認識手段と、この認識手段により認識された転送先へ前記中継形態で指示された転送形態により前記転送領域で指定された領域の前記原稿画像データを転送する転送処理手段とを有したこと、を特徴とする。
【０００７】
【発明の実施の形態】
本発明の第１の態様のファクシミリシステムは、発呼局と着呼局との間でファクシミリの所定の伝送制御手順を実行して、発呼局の原稿画像データを着呼局より転送するファクシミリシステムであって、発呼局が、着呼局から送られる標準機能を示す制御信号を解析して着呼局のＯＣＲ機能の有無を判定する判定手段と、この判定手段により着呼局がＯＣＲ機能を有すると判定した場合、着呼局に対する設定命令にＯＣＲ機能の使用指示、ＯＣＲ機能による読取座標の指定、中継形態の指示、前記原稿画像データの転送領域の指定に対応するパラメータを設定する命令設定手段とを有し、着呼局が、前記命令設定手段により設定された前記パラメータを解析して前記読取座標で指定された領域の前記原稿画像データを読み取って転送先を認識する認識手段と、この認識手段により認識された転送先へ前記中継形態で指示された転送形態により前記転送領域で指定された領域の前記原稿画像データを転送する転送処理手段とを有する構成を採る。
【０００８】
この構成によれば、発呼局において、判定手段が着呼局の標準機能を示す制御信号の解析を行い、着呼局がＯＣＲ機能を有することを示す情報を検出した場合、命令設定手段がＯＣＲ機能の使用指示とＯＣＲ機能による読取座標を指定するパラメータを設定命令に設定する。このため、着呼局の認識手段は、指定された読取座標が示す領域についてのみ読取動作を限定することができる。これにより、ＯＣＲ読取領域を指定せず、開始マークと終了マークとを認識することにより、ＯＣＲ読取領域を認識する従来のファクシミリ装置に比べて、ＯＣＲ読取動作の効率化が図ることができる。
【０００９】
本発明の第２の態様のファクシミリシステムは、前記転送処理手段は、前記中継形態で指示された転送形態を確認し、ファクシミリ転送と電子メール転送との一方または両方で、前記原稿画像データの転送を行なう構成を採る。
【００１０】
この構成によれば、設定命令の中継形態の指示内容にしたがって転送形態が切り替わる。このため、発呼局は、設定命令に中継形態の指示内容を設定し、かつ、ＯＣＲ読取領域にその転送形態に応じたサブアドレスを指定するだけでファクシミリ転送と電子メール転送との一方または両方で、原稿画像データの転送を行なうことができる。
【００１１】
本発明の第３の態様の画像転送制御方法は、発呼局と着呼局との間でファクシミリの所定の伝送制御手順を実行して、発呼局の原稿画像データを着呼局より転送する画像転送制御方法であって、発呼局が、着呼局から送られる標準機能を示す制御信号を解析して着呼局のＯＣＲ機能の有無を判定する判定工程と、この判定工程により着呼局がＯＣＲ機能を有すると判定した場合、着呼局に対する設定命令にＯＣＲ機能の使用指示、ＯＣＲ機能による読取座標の指定、中継形態の指示、前記原稿画像データの転送領域の指定に対応するパラメータを設定する命令設定工程とを有し、着呼局が、前記命令設定工程により設定された前記パラメータを解析して前記読取座標で指定された領域の前記原稿画像データを読み取って転送先を認識する認識工程と、この認識工程により認識された転送先へ前記中継形態で指示された転送形態により前記転送領域で指定された領域の前記原稿画像データを転送する転送処理工程とを有するようにした。
【００１２】
この方法によれば、発呼局において、着呼局の標準機能を示す制御信号の解析を行い、着呼局がＯＣＲ機能を有することを示す情報を検出した場合、命令設定工程でＯＣＲ機能の使用指示とＯＣＲ機能による読取座標を指定するパラメータを設定命令に設定する。このため、着呼局の認識工程では、指定された読取座標が示す領域についてのみ読取動作を限定することができる。これにより、ＯＣＲ読取領域を指定せず、開始マークと終了マークとを認識することにより、ＯＣＲ読取領域を認識する従来の方法に比べて、ＯＣＲ読取動作の効率化が図ることができる。
【００１７】
本発明の第４の態様の画像転送制御方法は、第３の態様において、前記転送処理工程で、前記中継形態で指示された転送形態を確認し、ファクシミリ転送と電子メール転送との一方または両方で、前記原稿画像データの転送を行なうようにした。
【００１８】
この構成によれば、設定命令の中継形態の指示内容にしたがって転送形態が切り替わる。このため、発呼局は、設定命令に中継形態の指示内容を設定し、かつ、ＯＣＲ読取領域にその転送形態に応じたサブアドレスを指定するだけでファクシミリ転送と電子メール転送との一方または両方で、原稿画像データの転送を行なうことができる。
【００２１】
以下、本発明の実施の形態について、図面を参照して詳細に説明する。
【００２２】
図１は、本発明の一実施の形態に係るファクシミリ装置をインターネットファクシミリ装置に適用した場合のブロック図である。以下、ＯＣＲ機能を使ってサブアドレス機能を持たせた場合について説明する。
【００２３】
図１において、ファクシミリ装置１０１は、送受信制御部１０２とネットワーク制御部１０３を有する。送受信制御部１０２は、公衆電話網（ＰＳＴＮ）および専用回線を介して通常のファクシミリ通信を行う機能を備えている。ネットワーク制御部１０３は、ＬＡＮおよびダイヤルアップネットワークを介して通常の電子メール送信を行う機能を備えている。また、ネットワーク制御部１０３は、受信したファクシミリデータ、換言すれば、イメージデータを電子メールとして転送する場合、その受信したイメージデータを添付ファイルに変換して電子メール通信する機能を備えている。
【００２４】
受信画像格納部１０４は、送受信制御部１０２が受信したイメージデータを格納する。文字認識部１０５は、受信画像格納部１０４に格納されたイメージデータのうち、サブアドレスに対応する数字をＯＣＲ機能によりキャラクターコードに読み替える。認識結果格納部１０６は、文字認識部１０５が読み替えたサブアドレスを格納する。
【００２５】
一方、パラメータ解析部１０７は、後述するＤＣＳ信号を解析して、このＤＣＳ信号の中から所定のパラメータをパラメータ格納部１０８に格納する。このパラメータの中には、ＯＣＲ機能の使用指示、中継形態指示およびＯＣＲ機能による読取座標指定等が含まれる。
【００２６】
次いで、上記構成を有するファクシミリ装置において、文字認識部１０５がＯＣＲ機能でサブアドレスを認識し、そのサブアドレスに対して転送するまでの動作について説明する。
【００２７】
まず、パラメータ解析部１０７は、パラメータ格納部１０８に格納した所定のパラメータにＯＣＲ機能の使用指示があるか否かについて確認する。所定のパラメータにＯＣＲ機能の使用が指示されている場合、パラメータ解析部１０７は、文字認識部１０５にＯＣＲ機能の使用命令およびサブアドレス表示欄の座標データを転送する。
【００２８】
これらの命令および座標データを受け取ると、文字認識部１０５は、受信画像格納部１０４に格納されたイメージデータ上のサブアドレス表示欄の座標データに対応する部分をＯＣＲ機能によりキャラクターコードに読み替える。その後、文字認識部１０５は、この読み替えたサブアドレスを認識結果格納部１０６に転送する。認識結果格納部１０６は、このサブアドレスを格納する。
【００２９】
一方、パラメータ解析部１０７は、パラメータ格納部１０８に格納した所定のパラメータにおいて、いずれの中継形態指示が指定されているかについて確認する。
【００３０】
所定のパラメータにファクシミリ装置による転送が指定されている場合、パラメータ解析部１０７は、送受信制御部１０２にファクシミリ転送命令を与える。送受信制御部１０２は、認識結果格納部１０６から認識したファクシミリ登録された電話番号を取り込む。また、送受信制御部１０２は、受信画像格納部１０４から格納した画像データを取り込む。これらにより、送受信制御部１０２は、発呼局のファクシミリ装置（以下、単に発呼局という）の指定したファクシミリのサブアドレスに対して、原稿書面のファクシミリ転送を行うことができる。
【００３１】
これに対して、所定パラメータに電子メールによる転送が指示されている場合、パラメータ解析部１０７は、ネットワーク制御部１０３に電子メール転送命令を与える。ネットワーク制御部１０３は、認識結果格納部１０６から認識した電子メールアドレスを取り込む。また、ネットワーク制御部１０３は、受信画像格納部１０４から格納した画像データを取り込む。ネットワーク制御部１０３は、このイメージデータを添付ファイルに変換する。これらにより、ネットワーク制御部１０３は、発呼局の指定した電子メールのサブアドレスに対して、原稿書面の電子メール転送を行うことができる。
【００３２】
次いで、上記構成を有するファクシミリ装置の伝送制御手順について、図２を用いて説明する。図２は、グループ３機器のファクシミリ装置の伝送制御手順におけるフェーズＢ以降の処理について示した図である。
【００３３】
発呼局が着呼局のファクシミリ装置(以下、単に着呼局という)に対するフェーズＡの処理を終了すると、着呼局は、装置内に備える標準機能をＤＩＳ信号にのせて送信する。このとき、ＤＩＳ信号には、ＯＣＲ機能を有するという情報が含まれている。
【００３４】
次いで、発呼局は、ＤＩＳ信号に基づいて当該ファクシミリ通信における設定命令をＤＣＳ信号にのせて送信する。この設定命令は、例えば、ＯＣＲ機能の使用指示、中継形態指示およびＯＣＲ機能による読取座標指定等を含んでいる。なお、ＯＣＲ機能の使用指示および中継形態指示については、送信時に使用者の指示に基づいて指定されるものである。その後、発呼局は、モデムパラメータの設定を行うため、トレーニング信号およびＴＣＦ信号の送信を行う。そして、送信に対する全ての準備が完了すると、発呼局は、画像信号の送信を開始する。
【００３５】
次いで、図３を用いて、上記ＤＩＳ信号あるいはＤＣＳ信号等の制御信号の伝送形式について説明する。図３（ａ）は、一般的な制御信号の伝送に用いられるＨＤＬＣフレーム構成図である。図３（ａ）中に示すように、ＨＤＬＣフレームは、情報フィールドを含んでいる。この情報フィールドは、ファクシミリ制御フィールドＦＣＦとファクシミリ情報フィールドＦＩＦ（以下、ＦＩＦという）とに分けられる。ＤＩＳ信号およびＤＣＳ信号は、このＦＩＦにおける情報として処理される。ＦＩＦにおいて、ＤＩＳ信号およびＤＣＳ信号には、ＦＩＦ符号表に基づく３２ビットが割り当てられる。このＦＩＦ符号表は、３２ビット目に拡張ビットが設定されている。
【００３６】
ＤＩＳ信号における拡張ビットセットを図３（ｂ）に示す。ＦＩＦ符号表に基づく３２ビット目の拡張ビットに「１」を立てると、ＦＩＦにおいて、送信できる領域が拡張される。着呼局は、この拡張された領域にＯＣＲ機能を有することを登録できる。発呼局は、このＤＩＳ信号を受信することにより、着呼局がＯＣＲ機能を有することを認識することができる。
【００３７】
ＤＣＳ信号における拡張ビットセットを図３（ｃ）に示す。ＤＩＳ信号と同様に、ＦＩＦ符号表に基づく３２ビット目に拡張ビットに「１」を立てると、ＦＩＦにおいて、送信できる領域が拡張される。発呼局は、この拡張された領域にＯＣＲ機能の使用指示、中継形態指示およびＯＣＲ機能による読取座標指定等の情報を登録できる。図３（ｃ）において、処理指示欄には、着呼局のＯＣＲ機能の使用指示または転送の中継形態指示が登録される。認識対象領域数欄には、ＯＣＲ機能で読み取りを行う対象領域の数が登録される。続いて、これらの対象領域の数に応じて、具体的な読取座標が登録される。転送領域指示欄には、原稿の転送を希望する領域が登録される。
【００３８】
次いで、本発明の一実施の形態に係るファクシミリ装置が原稿を送信する場合の動作について具体的に説明する。図４は、本発明の一実施の形態に係るファクシミリ装置の発呼局の動作を示すフロー図である。図５は、本発明の一実施の形態に係るファクシミリ装置の着呼局の動作を示すフロー図である。図６は、専用原稿書面内においてサブアドレスを指定した原稿送信面である。
【００３９】
図６において、原稿送信面６０１上には、ＯＣＲ読取領域６０２ａおよび６０２ｂと転送領域６０３とが設けられている。ＯＣＲ読取領域６０２ａおよび６０２ｂは、着呼局のＯＣＲ読取装置で読み取るためのサブアドレスを表示する。転送領域６０３は、発呼局が所望の原稿を表示する。図６は、発呼局がファクシミリ転送する場合において、ＯＣＲ読取領域６０２ａおよび６０２ｂに、ファクシミリ登録された電話番号が記入された例を示している。
【００４０】
以下、図４を用いて、発呼局が図６に示す原稿を送信する場合のフローについて説明する。
【００４１】
まず、発呼局は、工程４０１（ＳＴ４０１）において、転送依頼の有無を決定する。これにしたがい、送受信制御部１０２が着呼局に発呼する。転送依頼を行わない場合は、ＳＴ４０２において、発呼局は、通常送信処理を行う。これに対して、同報依頼を行う場合、発呼局は、ＳＴ４０３において、着呼局から受信するＤＩＳ信号により、着呼局がＯＣＲ機能を有するか否かを判定する。このとき、判定は、ＤＩＳ信号における拡張ビットにＯＣＲ機能を有することを示すフラグが立っているか否かによって行われる。
【００４２】
着呼局がＯＣＲ機能を有しないと認識した場合、発呼局では、ＳＴ４０４において、エラー表示が行われ、その後、送信が終了する。これに対して、着呼局がＯＣＲ機能を有すると認識した場合、ＳＴ４０５において、送受信制御部１０２は、ＤＣＳ信号におけるパラメータの構成を行う。すなわち、ＤＣＳ信号における拡張ビットに拡張機能の使用を示すフラグを立てる。これにより、送信できる領域を拡張し、この領域にパラメータを特定する情報を登録する。具体的にいうと、ＯＣＲ機能の使用指示、中継形態指示、図６中に示すＯＣＲ読取領域６０２ａおよび６０２ｂの座標指定および転送領域６０３指定を登録する。この登録を終了すると、送受信制御部１０２は、ＳＴ４０６において、このＤＣＳ信号を送信する。
【００４３】
次いで、送受信制御部１０２は、ＳＴ４０７において、送信原稿書面の画像データを送信する。次に、送受信制御部１０２は、ＳＴ４０８において、画像データの送信が正常に行われたか否かについて判断する。
【００４４】
画像データの送信が正常に行われない場合、発呼局では、ＳＴ４０４において、エラー表示が行われ、送信を終了する。これに対して、画像データの送信が正常に行われた場合、送信処理の全ての工程を終了する。
【００４５】
以下、図５を用いて、着呼局が図６に示す原稿を受信および転送する場合のフローについて説明する。
【００４６】
まず、着呼局において、発呼局からの転送依頼を着呼すると、ＳＴ５０１において、送受信制御部１０２は、ＤＩＳ信号を送信する。このとき、ＤＩＳ信号における拡張ビットには、ＯＣＲ機能を有することを示すフラグが立っている。
【００４７】
次いで、送受信制御部１０２は、ＳＴ５０２において、発呼局からのＤＣＳ信号の受信を確認する。送受信制御部１０２がＤＣＳ信号を正常に受信しない場合、ＳＴ５０３において、受信処理が中断され、受信を終了する。これに対して、送受信制御部１０２がＤＣＳ信号を正常に受信した場合、パラメータ解析部１０７は、ＳＴ５０４において、ＤＣＳ信号における拡張ビットにＯＣＲ機能の使用を示すフラグが立っているか否かの判定を行う。
【００４８】
ＤＣＳ信号にける拡張ビットにＯＣＲ機能の使用を示すフラグが立っていない場合、着呼局では、ＳＴ５０５において、通常の受信処理を行う。これに対して、ＤＣＳ信号における拡張ビットにＯＣＲ機能の使用を示すフラグが立っている場合、着呼局では、ＳＴ５０６において、ＤＣＳ信号のうち、拡張された領域に登録されたパラメータをパラメータ格納部１０８に格納する。
【００４９】
次いで、送受信制御部１０２は、ＳＴ５０７において、画像データの受信を行う。次に、ＳＴ５０８において、この画像データの受信が正常に行われたか否かの確認を行う。画像データの受信が正常に行われない場合、ＳＴ５０３において、受信処理が中断され、受信を終了する。これに対して、画像データの受信が正常に行われると、ＳＴ５０９において、画像データの受信を終了する。
【００５０】
次いで、文字認識部１０５は、ＳＴ５１０において、１ページ目のＯＣＲ読取領域をＯＣＲ読取装置で読み取る。具体的にいうと、図６中に示すＯＣＲ読取領域６０２ａおよび６０２ｂをＯＣＲ読取装置で読み取る。このとき、パラメータ解析部１０７は、文字認識部１０５にパラメータ格納部１０８に格納したパラメータのうち、ＯＣＲ読取領域６０２ａおよび６０２ｂの座標データを転送する。
【００５１】
次いで、文字認識部１０５は、ＳＴ５１１において、ＯＣＲ読取領域に表示されたサブアドレスの認識の確認を行う。サブアドレスの認識ができない場合、ＳＴ５１２において、送受信制御部１０２は、発呼局に対してその旨の通知を行う。これに対して、サブアドレスの認識ができた場合、パラメータ解析部１０７は、ＳＴ５１３において、パラメータ格納部１０８に格納したパラメータの中継形態指示の確認を行う。すなわち、ファクシミリ装置による転送依頼であるか電子メールによる転送依頼であるかの判定を行う。
【００５２】
ファクシミリ装置による転送依頼である場合、ＳＴ５１４において、着呼局では、ファクシミリ装置による転送の処理を行う。すなわち、パラメータ解析部１０７は、送受信制御部１０２にファクシミリ転送命令を与える。送受信制御部１０２は、認識結果格納部１０６から認識したファクシミリ登録された電話番号を取り込む。また、送受信制御部１０２は、受信画像格納部１０４から格納した画像データを取り込む。
【００５３】
これに対して、電子メールによる転送依頼である場合、ＳＴ５１５において、着呼局では、電子メールによる転送の処理を行う。すなわち、パラメータ解析部１０７は、ネットワーク制御部１０３に電子メール転送命令を与える。ネットワーク制御部１０３は、認識結果格納部１０６から認識した電子メールアドレスを取り込む。また、ネットワーク制御部１０３は、受信画像格納部１０４から格納した画像データを取り込む。
【００５４】
次に、送受信制御部１０２は、ＳＴ５１６において、これらの転送処理のエラーの確認を行う。エラーが発生した場合、送受信制御部１０２は、ＳＴ５１２において、発呼局に対して、その旨の通知を行う。これに対して、エラーが発生することなく、正常に処理が終了した場合、受信処理の全ての工程および転送処理の全ての工程を終了する。
【００５５】
このように、本実施の形態のファクシミリ装置によれば、着呼局は、ＯＣＲ機能を有することを示すフラグを立てたＤＩＳ信号を発呼局に送信する。これに基づいて、発呼局は、画像データ上のＯＣＲ読取領域および転送領域等を指定したＤＣＳ信号を送信する。このため、着呼局では、指定されたＯＣＲ読取領域に対応する部分についてのみＯＣＲ読取動作を限定することができる。これにより、ＯＣＲ読取装置が余計な部分を読み取ることがなくなる。この結果、ＯＣＲ読取装置の読取動作を効率的に行うことができる。
【００５６】
また、本実施の形態では、ＯＣＲ読取領域にサブアドレスとして、ファクシミリ登録された電話番号あるいは電子メールアドレスのいずれか一方のみを指定して転送を行うファクシミリ装置について説明したが、いずれか一方のみに限定せず、両方を指定して転送を行うことも可能である。
【００５７】
また、本実施の形態では、設定命令にＯＣＲ読取領域の座標データ等を設定し、この座標データに記入されたサブアドレスをＯＣＲ読取装置で読み取り、ファクシミリ転送等の転送先を認識するというＯＣＲ機能の活用について説明した。しかし、このような転送先の認識等に限定することなく、任意の処理内容を発呼局からの設定命令に設定し、その処理の実現のためにＯＣＲ機能を有効に活用することもできる。
【００５８】
【発明の効果】
以上説明したように、本発明によれば、発呼局において、判定手段が着呼局の標準機能を示す制御信号の解析を行い、着呼局がＯＣＲ機能を有することを示す情報を検出した場合、命令設定手段がＯＣＲ機能の使用指示とＯＣＲ機能による読取座標を指定するパラメータを設定命令に設定する。このため、着呼局の認識手段は、指定された読取座標が示す領域についてのみ読取動作を限定することができる。これにより、ＯＣＲ読取領域を指定せず、開始マークと終了マークとを認識することにより、ＯＣＲ読取領域を認識する従来のファクシミリ装置に比べて、ＯＣＲ読取動作の効率化が図ることができる。
【図面の簡単な説明】
【図１】本発明の一実施の形態に係るファクシミリ装置の構成を示すブロック図
【図２】上記実施の形態に係るファクシミリ装置の伝送制御手順を説明するためのシーケンス図
【図３】上記実施の形態に係るファクシミリ装置の制御信号の構成図
【図４】上記実施の形態に係るファクシミリ装置の発呼局の動作を説明するためのフロー図
【図５】上記実施の形態に係るファクシミリ装置の着呼局の動作を説明するためのフロー図
【図６】上記実施の形態に係るファクシミリ装置に使用する専用原稿の一例を示す図
【図７】従来のファクシミリ装置に使用する専用原稿の一例を示す図
【符号の説明】
１０２  送受信制御部
１０３  ネットワーク制御部
１０４  受信画像格納部
１０５  文字認識部
１０６  認識結果格納部
１０７  パラメータ解析部
１０８  パラメータ格納部
６０１  原稿送信面
６０２  ＯＣＲ読取領域
６０３  転送領域
【図１】
0004181256.tif 000002
【図２】
0004181256.tif 000003
【図３】
0004181256.tif 000004
【図４】
0004181256.tif 000005
【図５】
0004181256.tif 000006
【図６】
0004181256.tif 000007
【図７】
0004181256.tif 000008